(57)【要約】【課題】  モータによって回転する研磨板上に形成された研磨突起を用いて、足の角質層を効果的に除去できる電動式角質除去器を提供する。【解決手段】  足の角質除去用電動式角質除去器は、中空の本体１２と、該本体１２に連結された足の角質を除去する研磨部４２と、前記本体１２の中空部に組み立てられる前記研磨部４２を回転させる駆動部１４とから構成される。【選択図】  図３
2008504052.tif 000002
【特許請求の範囲】
【請求項１】
中空の部分を有する本体と、
該本体に連結される角質除去用研磨部と、
前記本体の中空部に組み立てられる前記研磨部を回転させる駆動部と、から構成されることを特徴とする電動式角質除去器。
【請求項２】
前記研磨部は、回転板と、該回転板の前面部に付着され、角質除去によって剥離された角質部分を吸入する多数個の吸入穴を備える研磨板と、該研磨板が回転板から分離されることを防止するために前記回転板と研磨板との間に位置した磁石と、前記本体に連結され、その内部に前記回転板及び研磨板を収容する連結フレームと、を備えることを特徴とする請求項１に記載の角質除去器。
【請求項３】
前記駆動部は、モータと、該モータの作動及び回転速度を制御する制御スイッチと、前記モータを電源に連結するコネクターと、を備えることを特徴とする請求項１に記載の角質除去器。
【請求項４】
前記駆動部は、第１回転羽根を回転させる第１モータと、第２回転羽根を回転させる第２モータと、前記モータの作動及び回転速度を制御する制御スイッチと、電源供給用アダプター連結コネクターと、を備えることを特徴とする請求項１に記載の角質除去器。
【請求項５】
前記本体に脱着可能に付着され、前記研磨部を選択的に露出させる蓋をさらに含むことを特徴とする請求項１に記載の角質除去器。
【請求項６】
高さ調節が可能なガードリングは、剥離された角質部分が飛び散ることを防止するために前記連結フレームに連結されることを特徴とする請求項２に記載の角質除去器。
【請求項７】
前記回転板は、前記研磨板の吸入穴を通して吸入される除去された角質部分をその内部に集める角質保管部に仕切られることを特徴とする請求項２に記載の角質除去器。
【請求項８】
前記回転板及び研磨板は、平面形、楕円形または截頭円錐形に形成されることを特徴とする請求項２に記載の角質除去器。
【請求項９】
前記研磨板は、金属腐食、電気鋳造または金属加工を用いて製造されることを特徴とする請求項２に記載の角質除去器。
【請求項１０】
前記研磨板には多数個の研磨突起が提供され、該各研磨突起は鋭い角部を有する多角形であることを特徴とする請求項２に記載の角質除去器。
【請求項１１】
前記本体には、滑り防止部が提供されることを特徴とする請求項１に記載の角質除去器。
【請求項１２】
前記本体には、その内部に備品を保存する備品保管部が提供されることを特徴とする請求項１に記載の角質除去器。
【請求項１３】
前記研磨板は、その研磨面が連結フレームの上端より高く位置することを特徴とする請求項２に記載の角質除去器。
【請求項１４】
前記本体は、手で握りやすい形態を有することを特徴とする請求項１に記載の角質除去器。
【請求項１５】
前記本体に付着された取っ手をさらに含むことを特徴とする請求項１に記載の角質除去器。
【請求項１６】
前記回転板及び研磨板の吸入穴を通して吸入される除去された角質部分を、その内部に集める角質保管筒をさらに含むことを特徴とする請求項２に記載の角質除去器。
【請求項１７】
前記角質保管筒は、その内部に角質収集フィルタを有し、吸入空気が通過する空気穴を有することを特徴とする請求項１６に記載の角質除去器。
【請求項１８】
前記本体は、その内部に前記駆動部を駆動させる電源供給部を有することを特徴とする請求項１に記載の角質除去器。
【請求項１９】
除去された角質部分が使用者に飛び散ることを防止するために、前記本体の上部に設置されるガードリングをさらに含むことを特徴とする請求項１に記載の角質除去器。
【請求項２０】
前記研磨板の粗さは、除去される角質の状態に応じて変わることを特徴とする請求項２に記載の角質除去器。
【請求項２１】
前記研磨板の粗さは、部分的に異なっていることを特徴とする請求項２に記載の角質除去器。
【発明の詳細な説明】
【技術分野】
【０００１】
本発明は、電動式角質除去器に関するもので、より詳しくは、足のかかと、足の裏、足の側面部位及び足指などに生じる角質を研磨して除去する電動式角質除去器に関するものである。
【背景技術】
【０００２】
一般に、人の皮膚は、軟らかい部分と硬い部分とに分けられる。例えば、他の物体との接触なしにそのまま大気中に露出される顔や手などは軟らかく、かつ、服に覆われて、大気との直接的な接触がなくても強い圧力を受けない脚及び胸などの皮膚も軟らかい。これに反して、足の場合、靴を履いて歩いたり、停止状態で靴の硬い面と皮膚とが長時間にかけて接触することにより、足の一部面の皮膚が硬く変化して角質層をなすようになる。この角質層は、時間が経過するにつれて徐々に厚くなり、激しい場合は、ひび割れることもある。さらに、角質層がひび割れると、痛みを誘発し、ひび割れた隙間を通して細菌が浸透するので、感染の憂いがある。
【０００３】
図１は、従来の角質除去器２を示した図である。図示した従来の角質除去器２において、使用者は、取っ手４を握って、本体６の一側面または両側面に提供された研磨板８を用いて足の角質を除去する。
【発明の開示】
【発明が解決しようとする課題】
【０００４】
上記のような構造によると、使用者は、角質上に角質除去器２を擦るために、反復的に手運動をすべきである。よって、年寄りの人や身体の弱い人が角質除去器２を用いる場合、疲れやすくなる。また、従来の角質除去器２は、四方に角質が飛び散って非衛生的であるという短所を有する。さらに、従来のほとんどの角質除去器には、蓋が備わっていないので、美観上好ましくなく、携帯するのに不便であるという問題点があった。
【０００５】
したがって、本発明の目的は、モータによって回転する研磨板上に形成された研磨突起を用いて、足の角質層を効果的に除去できる電動式角質除去器を提供することにある。
【課題を解決するための手段】
【０００６】
本発明の第１実施形態に係る電動式角質除去器は、中空の部分を有する本体と、該本体に連結される角質除去用研磨部と、前記本体の中空部に組み立てられる前記研磨部を回転させる駆動部と、から構成される。前記研磨部は、回転板と、該回転板の前面部に付着され、角質除去によって剥離された角質部分を吸入する多数個の吸入穴を備える研磨板と、該研磨板が回転板から分離されることを防止するために前記回転板と研磨板との間に位置した磁石と、前記本体に連結され、その内部に前記回転板及び研磨板を収容する連結フレームと、を備える。
【発明の効果】
【０００７】
本発明に係る角質除去器は、従来の問題点を解決するためのものである。すなわち、従来は、使用者の物理的な力によって角質上に角質除去器を擦るべきであって、使用者は容易に疲れを感じていた。しかし、本発明に係る角質除去器は、モータによって電気的に作動するので、長い時間使用した後も、使用者が疲れを感じなくなる。また、モータの高速回転によって、剥離に要される時間が相当減少する。また、剥離された角質部分が回転板の角質保管具または角質収集筒に収集されるので、角質が飛び散ることを防止して衛生的である。さらに、本体を閉じるための蓋が備わるので、皮膚と接触する研磨板の汚染を最小化し、携帯が容易になる。
【発明を実施するための最良の形態】
【０００８】
以下、図２乃至図９に基づいて、本発明の第１実施形態に係る電動式角質除去器１０を説明する。電動式角質除去器１０は、中空の本体１２と、本体１２の一側に位置し、角質を除去するために用いられる研磨部と、本体の中空部に結合されて研磨部を回転させる駆動部と、を備えている。さらに、電動式角質除去器１０は、本体１２に着脱自在に付着され、研磨部を選択的に露出させる蓋５６を備えている。
【０００９】
本実施形態において、本体１２は、略楕円形に示されているが、図１１に示すように、使用者が手で握りやすい長い形態を有して形成されることもある。
【００１０】
研磨部は、回転板３２と、回転板３２の前面に付着された研磨板４２と、ねじ２８によって本体１２に結合され、その内部に回転板３２及び研磨板４２が収容される連結フレーム４８と、を備えている。研磨板４２は、角質上に擦られるとき、剥離された角質部分を吸入する多数個の吸入孔４４を備えている。
【００１１】
また、回転板３２が高速回転するとき、研磨板４２が回転板３２から分離されることを防止するための磁石４０は、回転板３２と研磨板４２との間に位置する。研磨板４２の外周部には、回転板３２に形成された多数個の固定溝３４に締結される多数個の固定突起４６が備わる。一方、回転板３２は、剥離された角質部分をその内部に保管するいくつかの角質保管具３６に分けられる。
【００１２】
連結フレーム４８は、円形の挿入溝を備えた固定部５２を有する。ガードリング５４の下部が固定部５２に締結され、ガードリング５４が連結フレーム４８に連結されることで、剥離された角質部分が様々な方向に飛び散ることを防止する。ここで、ガードリング５４の高さは、可変に構成される。
【００１３】
特に、図１８Ａは、連結フランジ４８の固定部５２に結合されたガードリング５４の平面図であり、図１８Ｂ乃至図１８Ｄは、他の方向で見た側面図である。図１８Ａ乃至図１８Ｄに示すように、ガードリング５４の高さは、一側が低く、その反対側に向かって漸次増加する。よって、角質を除去する場合、ガードリング５４の高い部分には角質がそれほど飛び散らなくなる。したがって、角質が顔方向に飛び散ることを防止するためには、ガードリング５４の高い部分を使用者の顔近くに位置させるとよい。
【００１４】
ガードリング５４の高さを全体的に高くする場合は、足の底のように平らな部分の角質を除去するとき、足の平らな部分が研磨板４２でないガードリング５４の端部に先に接触するので、角質を効果的に除去することが容易でないという問題点がある。したがって、上記のような問題が発生しない範囲で、ガードリング５４の高さを定めるとよい。
【００１５】
連結フレーム４８の側面には、多数個の突起５０が提供される。突起５０は、蓋５６が本体１２に締結されるとき、蓋５６の内側に形成された結合溝５８に締結される。その結果、蓋５６が揺れるか、連結フレーム４８から分離されることを防止する。本実施形態において、蓋５６と連結フレーム４８との結合は、突起５０が結合溝５８に挿入されて実現されるが、蓋５６と連結フレーム４８との結合手段は、それに限定されることはない。
【００１６】
図７に示した回転板３２及び研磨板４２は平面形であり、研磨板４２は、連結フレーム４８の端部より高さ“Ａ”だけ突出して位置する。これと異なって、図８に示した回転板３２及び研磨板４２は楕円形であり、研磨板４２は、連結フレーム４８の端部より高さ“Ｂ”だけ突出して位置する。何れの場合においても、足の裏のように、広くかつ平らな部分の角質を効果的に除去することができる。図面に示していないが、回転板３２及び研磨板４２は、円錐形に形成することもできる。
【００１７】
研磨板４２は、金属腐食、電気鋳造、金属加工などを用いて製造される。これらのうち、金属腐食は、単純な製造工程、低廉な費用及び高効率という長所によって最も広く用いられる。金属腐食を用いる場合は、研磨板４２の研磨突起６０を如何なる形状に製作するかが重要である。
【００１８】
図９は、研磨突起６０の実施形態を示す図である。研磨突起６０を三角形及び四角形などの多角形に形成すると、鋭い角部によって角質除去が容易になる。また、最適の角質除去効果を得るために、モータ１４の回転速度や駆動力にしたがって研磨突起６０の形態を変更することができる。研磨突起６０は、円形や無定形に形成するか、一つの研磨板４２において局部的に異なる形状に形成する。
【００１９】
図１７は、研磨突起の他の実施形態を示す図である。各研磨突起１４６は、表面部１４６ａが三個の頂点１４６ｃ，１４６ｄ，１４６ｅを有する三角形に形成される。頂点１４６ｃ，１４６ｄ，１４６ｅの鋭い面が回転しながら、角質を強力に除去する。また、各研磨突起１４６の側面部１４６ｂの高さは、角質除去能力に関連する。したがって、足の角質を効果的に除去するためには、形状、高さ（深さ）及び配列がそれぞれ異なる研磨突起１４６を有する多数個の研磨板１４０を準備し、足の角質状態に応じて、これらのうち一つを用いることが好ましい。
【００２０】
本体１２の内部には、駆動部であるモータ１４、減速ギアボックス１６、減速ギアボックス１６に連結されたモータ軸１８、モータ１４の回転速度を制御する制御スイッチ２０、ジャック２２、発光体２４及び抵抗３０を備えている。本発明に係る電動式角質除去器１０は、家庭用ＡＣ電源をＤＣ電源に変換して駆動されるとき、アダプターを必要とする。すなわち、アダプターの一端が家庭用電源に連結されるとともに、他端が電動式角質除去器のジャック２２に連結されることで、モータ１４を駆動するための電力を供給する。
【００２１】
また、モータ４の駆動電力は、バッテリから供給されるか、家庭用電源から直接供給される。このような場合は、ジャック２２なしにも電力供給が可能である。
【００２２】
発光体２４は、電力が電動式角質除去器１０に供給されるか、モータ１４が駆動されるとき、透明板２６を通して光を発光することで、使用者が電力の供給状態を便利に確認できるようにする。発光体２４は、電球、ＬＥＤ、高輝度ＬＥＤなどであるが、これらに限定されることはない。スイッチ２０は、モータ１４への電力供給または電力供給断絶によってモータ１４の作動を制御する。また、モータ１４の一側に抵抗３０を設置することで、モータ１４の速度を調節する。図面に示していないが、抵抗は、発光体２４の種類及び規格にしたがって発光体２４の一側に設置される。また、電動式角質除去器１０の本体１２内の各部品が多数個の電線によって連結されるが、図面では、これら電線を省略する。
【００２３】
回転板３２は、モータ１４によって回転駆動する。モータ１４の駆動力を上昇させ、回転速度を低下させるために、モータ軸１８は、モータ１４の上に置かれる減速ギアボックス１６を通してモータ１４の中央部に連結される。また、回転板３２の自由回転を防止するために、回転板３２の後方中央部がモータ軸１８の切削部に連結され、モータ軸１８の回転時、回転板３２がモータ軸１８と同一の速度で回転する。必要に応じて、減速ギアボックス１６は省略可能である。
【００２４】
以下、上記のように構成された電動式角質除去器の作動を説明する。電源がアダプター（図示せず）を通して印加された後、スイッチ２０をターンオンしてモータ１４を駆動させる。モータ１４が駆動されると、モータ軸１８が回転し、モータ軸１８に連結された回転板３２も回転する。
【００２５】
さらに、回転板３２が回転するにつれて、回転板３２の上部に位置した研磨板４２も回転し、研磨板４２の研磨突起６０によって角質が除去される。剥離された角質部分は、研磨板４２の吸入孔４４を通して回転板３２内側の角質保管具３６内に集められる。よって、連結フレーム４８に連結されたガードリング５４によって、剥離された角質部分が所定方向に飛び散る現象を防止できる。角質除去が完了すると、連結フレーム４８が本体１２から分離され、研磨板４２も回転板３２から分離される。その後、本体１２を地面に向けて傾かせると、角質保管具３６に収集された角質部分が除去される。
【００２６】
また、回転板３２及び研磨板４２をモータ軸１８から分離した後、研磨板４２を回転板３２から分離して角質保管具３６を空にすることもできる。角質部分を除去した後、回転板３２、研磨板４２、連結フレーム４８及びガードリング５４を本体１２に再び組み立てる。その後、蓋５６を閉じて研磨板４２の汚染を防止する。蓋５６は、角質除去器１０の外観を良好にするとともに、携帯を便利にする。
【００２７】
図１０に示すように、本体１２の一側には、多数個の滑り防止板６２が提供されるが、この滑り防止板６２は、使用者が本体１２を握って角質を擦るとき、本体１２が使用者の手から滑り落ちることを防止する。また、本体１２の他側には、備品保管具６４が提供されるが、この備品保管具６４には、掃除用ブラッシュ、皮膚保護用軟膏などを保管できる。
【００２８】
さらに、図１１に示すように、本体１２は、使用者が握りやすいように一方向に長く延長されるので、角質除去作業が便利になる。また、ジャック２２を本体１２の後面部に設置すると、アダプター線が角質除去作業を妨害することがない。また、図１１には、滑り防止板６２及び備品保管具６４が示されていないが、図１１の電動式角質除去器も、図１０に示すものを同様に備えている。
【００２９】
図１２乃至図２０は、本発明の第２実施形態に係る電動式角質除去器１００を示す図である。図示したように、電動式角質除去器１００は、取っ手１１０が付着された中空の本体１２０と、本体１２０の一側に設置されて角質を除去する研磨部と、本体１２０の中空部に結合される駆動部とを備えている。図面に示していないが、電動式角質除去器１００は、本発明の第１実施形態と同様に、本体１２０に着脱自在に付着され、研磨部を選択的に露出させる蓋を備えている。
【００３０】
第１実施形態と同様に、本体１２は楕円形であり、取っ手１１０は、その下部に付着される。また、取っ手１１０の内側は、掃除用ブラッシュなどを保管するブラッシュ保管筒１１２として用いられる。
【００３１】
駆動部は、第１回転羽根１１２を回転させる第１モータ１１４と、第２回転羽根１３４を回転させる第２モータ１１６と、第１及び第２モータ１１４，１１６の回転速度を制御する制御スイッチ１１８と、アダプター連結用コネクター１２２とを備えている。
【００３２】
研磨部は、回転板１３０と、回転板１３０の前面部に付着された角質除去用研磨板１４０と、本体１２０の前面部に結合され、その内部に回転板１３０及び研磨板１４０を回転可能に収容する外部フレーム１５０とを備えている。
【００３３】
回転板１３０の中心部には、研磨板１４０が回転板１３０から分離されることを防止する磁石１４２が位置する。さらに、研磨板１４０の周辺部に形成された多数個の固定部１４８は、回転板１３０の周辺部に形成された固定溝１４４に締結されて固定されるので、回転板１３０が急速回転するとき、研磨板１４０が回転板１３０から分離されることを防止する。
【００３４】
外部フレーム１５０は、その内側面に螺旋（図示せず）が形成され、外部フレーム１５０の螺旋は、本体１２０に形成された他の螺旋１２１と締結される。したがって、研磨板１４０が磁石１４２の磁力及び固定部１４８による固定力にもかかわらず回転板１３０から分離される場合も、研磨板１４０は、外部フレーム１５０によって阻止される。
【００３５】
結局、研磨板１４０が角質除去器１００から分離されることを完壁に防止する。また、本体１２０の一側にガードリング１２３を備えるが、ガードリング１２３は、足から剥離される角質部分が四方に飛び散ることを防止する。
【００３６】
回転板１３０及び研磨板１４０は、例えば、図１３乃至図１８に示すように、平面形、楕円形または截頭円錐形に形成される。特に、研磨板１４０の形状においては、截頭円錐形１４０ａや外部フレーム１５０より高く突出した楕円形１４０ｂが、平面形１４０ｃに比べて、足の裏などの広くかつ平らな角質をより効果的に除去する。特に、平面形１４０ｃの研磨板１４０では、平面形研磨板１４０が外部フレーム１５０の内側に位置するので、足の裏などの広くかつ平らな角質を効果的に除去することが難しい。
【００３７】
しかし、外部フレーム１５０より前方に突出した突出平面形１４０ｄの研磨板１４０を用いると、楕円形１４０ｂや截頭円錐形１４０ａと同じ効果を得られる。また、回転板１３０は、研磨板１４０と合致する形状を有することが良い。すなわち、研磨板１４０の形状が截頭円錐形１４０ａ、楕円形１４０ｂ、平面形１４０ｃ及び突出した平面形１４０ｄであると、回転板１３０も截頭円錐形１３０ａ、楕円形１３０ｂ、平面形１３０ｃ及び突出した平面形１３０ｄに形成される。
【００３８】
穴１３８は、回転板１３０及び研磨板１４０を通過して形成される。足から剥離された角質部分は、穴１３８を通して角質保管筒１２４の角質収集フィルタ１２６内に送られる。角質保管筒１２４の一側に提供された一対の固定ロッド１３５を、本体１２０の一側に形成された各結合溝１３７に固定することで、 角質保管筒１２４が本体１２０に脱着可能に連結される。したがって、角質収集フィルタ１２６が剥離された角質部分で充填されると、角質保管筒１２４を本体１２０から分離し、角質保管筒１２４及びその内部の角質収集フィルタ１２６を掃除できる。
【００３９】
さらに、角質保管筒１２４の一側には、多数個の空気穴１３１が提供され、第１回転羽根１３２及び第２回転羽根１３４の回転力によって吸入される空気は、角質収集フィルタ１２６に入って空気穴を通して流れ出る。このような空気の流れによって、剥離された角質部分は、空気の吸入方向に移動して角質収集フィルタ１２６内に収集される。
【００４０】
一方、回転板１３０が第１モータ１１４の回転力によって回転すると、これに付着された研磨板１４０も回転する。これと同時に、第１モータ１１４のモータ軸１３６に付着された第１回転羽根１３２が回転し、足から除去された角質部分は、第１回転羽根１３２の吸入力で第１回転羽根１３２に向かう方向に移動し、角質保管筒１２４の角質収集フィルタ１２６内に集められる。
【００４１】
これと同様に、第２モータ１１６のモータ軸１３６に付着された第２回転羽根１３４が第２モータ１１６によって回転すると、足から除去された角質部分は、第２回転羽根１３４の吸入力で第２回転羽根１３４に向かう方向に移動し、角質保管筒１２４の角質収集フィルタ１２６内に集められる。このとき、時間当たりの回転数は、第２モータ１１６が第１モータ１１４より大きいため、第２モータ１１６は、剥離された角質部分を吸入するための主モータになり、第１モータ１１４は、補助モータになる。上述したように、２個のモータ及び２個の回転羽根を用いて、吸入力が相当増進する。
【００４２】
図１９乃至図２０に示すように、第１モータ１１４のモータ軸１３６の一端には、回転板１３０を第１モータ１１４のモータ軸１３６に脱着可能に連結させる多数個の固定突起１２３ａが形成される。モータ軸１３６の他端には、モータ軸１３６を固定させるための固定支持部１２３ｂが提供される。第１回転羽根１３２は、連結用穴１１４ｃ、羽根１１４ｂ及び固定用穴１１４ｄを有する回転軸１１４ａを備えている。回転板１３０は、その中央部に中空部１３９ａを有するフランジ１３９を備えている。
【００４３】
第１モータ１１４のモータ軸１３６に形成された固定突起１２３ａは、第１回転羽根１３２の固定用穴１１４ｄに結合され、第１回転羽根１３２は、モータ軸１３６の回転によって回転される。第１回転羽根１３２及びモータ軸１３６は、脱着可能である。固定支持部１２３ｂは、第１回転羽根１３２がモータ軸１３６に過度に深く固定されることを防止する。これと同様に、第２回転羽根１３４の第２モータ１１６のモータ軸１３６に対する脱着は、第１回転羽根１３２のモータ軸１３６に対する脱着の場合と同一の方法で行われる。
【００４４】
角質保管筒１２４の角質収集フィルタ１２６が、除去された角質部分で充填されると、角質保管筒１２４は、本体１２０から分離される。その後、角質部分を角質保管筒１２４内の角質収集フィルタ１２６から払い落として、角質収集フィルタ１２６が掃除される。また、角質保管筒１２４及び角質収集フィルタ１２６は、ブラッシュ保管筒１１２に収容されたブラッシュで掃除できる。さらに、ブラッシュを有して、電動式角質除去器１００の全ての部品、例えば、第１回転羽根１３２、第２回転羽根１３４、回転板１３０、研磨板１４０及び本体１２０などを掃除できる。
【００４５】
上記のように構成された本発明の第２実施形態に係る電動式角質除去器１００は、次のように作動する。すなわち、アダプター（図示せず）を用いて電源を供給した後、スイッチ１１８をターンオンすると、第１回転羽根１１４及び第２回転羽根１１６が駆動される。第１モータ１１４の回転によって、第１回転羽根１３２及び第１モータ１１４に連結された回転板１３０が回転し、回転板１３０の上部に設置された研磨板１４０も回転することで、角質除去作業が行われる。スイッチ１１８は、第１モータ１１４の回転速度を制御するために用いられ、角質除去器１００の電力供給も制御する。
【００４６】
したがって、スイッチ１１８によって、足の角質を除去する状態に応じて研磨板１４０の回転速度を調節し、足を傷つけることなく角質除去作業を効果的に行える。研磨板１４０が高速回転するとしても、回転板１３０の中心部に設置された磁石１４２によって、回転板１３０から分離されることを防止できる。その上、研磨板１４０が金属材によって製造される場合、回転板１３０及び研磨板１４０が磁石１４２によって堅固に固定される。
【００４７】
さらに、研磨板１４０の多数個の固定部１４８を回転板１３０の固定溝１４４に締結することで、研磨板１４０が回転板１３０に堅固に固定される。また、外部フレーム１５０を本体１２０に付着するとき、外部フレーム１５０が研磨板１４０の外周部を取り囲むようにすると、研磨板１４０は、回転板１３０から分離されるとしても、電動式角質除去器１００から完全に分離されなくなる。スイッチ１１８がターンオンになり、第２モータ１１６及び第１モータ１１４が回転すると、第２モータ１１６のモータ軸１３６に連結された第２回転羽根１３４も回転し、除去された角質部分が角質保管筒１２４内側の角質収集フィルタ１２６内に集められる。研磨板１４０及び回転板１３０には、それぞれ多数個の穴１３８が提供されるため、剥離された角質部分は、これらを通して角質保管筒１２４に移動する。
【００４８】
外部フレーム１５０が本体１２０から分離された後、研磨板１４０、回転板１３０、第１回転羽根１３２及び第２回転羽根１３４、角質保管筒１２４は、全てモータ軸１３６から分離される。したがって、電動式角質除去器１００を所定期間の間用いた後、各部品は、取っ手１１０内のブラッシュ保管筒１１２に内蔵されたブラッシュを用いて掃除できる。さらに、他の表面粗さを有するいくつかの研磨板１４０を準備すると、除去する角質の状態に応じてこれらのうち一つを選択できる。本体１２０の一側に設置されたガードリング１２３は、角質除去器が用いられるとき、使用者の体や顔に向けると、除去された角質部分が顔や体の反対方向に落ちたり、使用者の顔や本体に向かって飛び散らずに下部に落ちる。
【００４９】
図２１及び図２２に基づいて、本発明の第３実施形態に係る電動式角質除去器を説明する。図示したように、回転板１３０を通して穴を形成する代りに、多数個のリブ１６０が回転板１３０の内側に設置され、除去された角質部分を集める角質保管筒１７０が、各リブ１６０の間に溝を形成することで提供される。したがって、除去された角質部分は、角質保管筒１７０内に集まり、第２実施形態で説明した第２モータ１１６、角質保管筒１２４、角質収集フィルタ１２６及び第１回転羽根１３２、及び第２回転羽根１３４は省略される。
【００５０】
電動式角質除去器で足の角質を除去する間、剥離された角質部分は、研磨板１４０の穴１３８を通して研磨板１４０の内部に移動し、これらのうちほとんどの角質部分が回転板１３０の角質保管筒１７０内に集まり、一部は飛び散る。しかし、飛び散った角質部分は、ガードリング１２３に衝突して下部に落ちる。本発明の第３実施形態によると、回転板１３０の形状を変更し、足から角質を除去する低廉な電動式角質除去器を得られる。第３実施形態の構成は、上述したことを除けば上記の二つの実施形態と同一であるため、これらに対する詳細な説明は省略する。
【００５１】
図２３は、第３実施形態に係る電動式角質除去器の変更例を示す立体図で、取っ手１１０が設けられていない。図示したように、スイッチ１１８、ブラッシュ保管具１１２及びコネクター１２２が本体１２０の同一側面に設置されるので、電動式角質除去器の構造が単純になり、製造原価を節減できる。図１２に示した電動式角質除去器の構成は、取っ手１１０がないことを除けば、第３実施形態に係る電動式角質除去器と同一であるので、これらに対する詳細な説明は省略する。
【００５２】
以上、本発明は、好ましい実施形態に基づいて説明されたが、当該分野の技術者であれば、添付の請求範囲に定義された本発明の精神及び範囲から離脱しない範囲で、多様な変更及び修正案が可能なことを理解できるだろう。
【図面の簡単な説明】
【００５３】
【図１】図１は、従来の角質除去器の斜視図である。
【図２】図２は、本発明の第１実施形態に係る電動式角質除去器の分解斜視図である。
【図３】図３は、図２の電動式角質除去器の構成を示す図である。
【図４】図４は、蓋が本体から分離された図２の電動式角質除去器の斜視図である。
【図５】図５は、蓋が本体に締結された図２の電動式角質除去器の斜視図である。
【図６Ａ】図６Ａは、図２の電動式角質除去器のガードリングの平面図である。
【図６Ｂ−６Ｄ】図６Ｂ乃至図６Ｄは、図６Ａのガードリングを様々な方向で示す側面図である。
【図７】図７は、図２の電動式角質除去器の平面形回転板及び研磨板の側面図である。
【図８】図８は、図２の電動式角質除去器の楕円形回転板及び研磨板の側面図である。
【図９】図９は、図７及び図８に示した研磨板の表面一部を示す拡大図である。
【図１０】図１０は、図２の電動式角質除去器の本体に備わった滑り防止板及び備品保管具を示す図である。
【図１１】図１１は、手で握りやすい形態を有する変更された本体を示す図である。
【図１２】図１２は、本発明の第２実施形態に係る電動式角質除去器の分解斜視図である。
【図１３】図１３は、図１２に示した回転板及び研磨板の多様な形態を示す図である。
【図１４】図１４は、図１２の電動式角質除去器の側面図である。
【図１５】図１５は、図１２の電動式角質除去器の前面図である。
【図１６】図１６は、図１２の電動式角質除去器の立体図である。
【図１７】図１７は、図１２の電動式角質除去器の一つの研磨突起を示す図である。
【図１８Ａ−１８Ｄ】図１８Ａ乃至図１８Ｄは、図１２の電動式角質除去器の研磨部を示す図である。
【図１９】図１９は、図１２の電動式角質除去器の回転板、回転羽根及びモータ軸を示す分解斜視図である。
【図２０】図２０は、図１２の電動式角質除去器の回転羽根及びモータ軸を示す平面図である。
【図２１】図２１は、本発明の第３実施形態に係る電動式角質除去器の分解斜視図である。
【図２２】図２２は、図２１の回転板を示す平面図である。
【図２３】図２３は、図２１の電動式角質除去器を示す斜視図である。
【符号の説明】
【００５４】
１２    中空の本体
１４    駆動部
４２    研磨部
【図１】
2008504052.tif 000003
【図２】
2008504052.tif 000004
【図３】
2008504052.tif 000005
【図４】
2008504052.tif 000006
【図５】
2008504052.tif 000007
【図６】
2008504052.tif 000008
【図７】
2008504052.tif 000009
【図８】
2008504052.tif 000010
【図９】
2008504052.tif 000011
【図１０】
2008504052.tif 000012
【図１１】
2008504052.tif 000013
【図１２】
2008504052.tif 000014
【図１３】
2008504052.tif 000015
【図１４】
2008504052.tif 000016
【図１５】
2008504052.tif 000017
【図１６】
2008504052.tif 000018
【図１７】
2008504052.tif 000019
【図１８】
2008504052.tif 000020
【図１９】
2008504052.tif 000021
【図２０】
2008504052.tif 000022
【図２１】
2008504052.tif 000023
【図２２】
2008504052.tif 000024
【図２３】
2008504052.tif 000025
【国際調査報告】
2008504052.tif 000026
2008504052.tif 000027
2008504052.tif 000028